【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
上面と、底面と、前記上面と底面との間に広がる前面、背面、及び側面とを有する本体を有する乗り入れ式船舶用フローティングドックであって、前記上面と、前記底面と、前記前面と、前記背面と、前記側面は、体積を規定するものであり、
前記上面には船受容部が設けられており、前記船受容部は、前記背面で開いており、前記船受容部は、前記本体背面から前方に広がる入り口部と、前記入り口部の前方に広がる中央部とを有しており、
前記船受容部の中央部は、底面と、前記船受容部の底面から前記本体上面へ広がる側壁とを有しており、前記船受容部側壁には、少なくとも一対の対向するポケットが設けられており、
前記船受容部の入り口部は、傾斜面と、前記船受容部入り口部底面から前記本体上面へ広がる側壁と、前記入り口部側壁上にある対向する側壁ポケットと、
前記側壁ポケットに入っている側壁滑り構体とを有しており、前記側壁滑り構体は、前記側壁ポケットに固定された取り付け部材と、前記取り付け部材に沿った選択された位置で前記取り付け部材に固定可能なブラケットと、前記取り付け部材から選択された距離の位置に前記滑り部材が位置するように前記ブラケットに沿った選択された位置で前記ブラケットに取り付けられた滑り部材とを有している、乗り入れ式船舶用フローティングドック。
【請求項２】
前記取り付け部材は、複数の開口を有する一本の細長い梁を有しており、前記ブラケットは下部と上部を有しており、前記ブラケット下部は、前記取り付け部材の選択された１つの開口と位置が揃うような少なくとも１つの開口を有しており、前記滑り構体は、前記取り付け部材に前記ブラケットを固定するための、前記ブラケット下部開口と前記取り付け部材開口とを通っている留め具を有しており、前記ブラケット上部部材は、前記取り付け部材の梁に対して横方向に設けられた複数の開口を有しており、前記滑り構体は、前記滑り部材を前記取り付け部材の梁から所望の距離で前記ブラケットに固定するために、選択された１つの前記ブラケット上部開口に入れられている、第二の留め具を有していることを特徴とする、請求項１に記載の乗り入れ式船舶用フローティングドック。
【請求項３】
前記船受容部の底部に沿って位置する少なくとも１つの底部ポケットと、前記少なくとも１つの底部ポケットに入っている底部滑り構体とを有する、請求項１に記載の乗り入れ式船舶用フローティングドック。
【請求項４】
前記滑り構体のうちの少なくとも一つが、前記船受容部の離隔して配された側部ポケットに配置できるような大きさと形状である一対の基体と、前記一対の基体の間に延びるレールと、前記レールに沿って間隔を開けて取り付けられた複数の滑り部材とを有している、請求項１に記載の乗り入れ式船舶用フローティングドック。
【請求項５】
乗り入れ式船舶用フローティングドックとそれに連結可能な拡張ユニットの組み合わせであって、
前記船舶用フローティングドックは、本体と、前記本体の上面に設けられ、前記本体の背面で開いている船受容部とを有しており、前記船受容部は、前記本体背面から前方に広がる入り口部と、前記入り口部の前方に広がる中央部とを有しており、前記入り口部は、傾斜面を有しており、前記傾斜面は、前記船受容部の中央部へと、前記船舶を導くように形成され、構成されており、
前記拡張ユニットは、拡張部材本体と、前記ドック船受容部の少なくとも後部に受け容れられるように前記ドック船受容部の少なくとも入り口部後部の一部に対応する形状の底面を有するとともに、前記拡張部材本体の前面から延びている舌状部と、前記船舶のドックの前記船受容部へと、船舶を導くように形成され、構成されるとともに、前記拡張部本体の後部にある傾斜面と、を有している、乗り入れ式船舶用フローティングドックとそれに連結可能な拡張ユニットの組み合わせ。
【請求項６】
前記本体と前記拡張部材の入り口部が、前記傾斜面の少なくとも一部に沿って、外方向へ張り出している壁を有する、請求項５に記載の組み合わせ。
【請求項７】
乗り入れ式船舶用フローティングドックとそれに連結可能な拡張ユニットの組み合わせであって、
前記船舶用フローティングドックは、本体と、前記本体の上面に設けられ、前記本体の背面で開いている船受容部とを有しており、前記船受容部は、前記本体背面から前方に広がる入り口部と、前記入り口部の前方に広がる中央部とを有しており、前記入り口部は、傾斜面を有しており、
前記拡張ユニットは、拡張部材本体と、前記ドック船受容部の少なくとも入り口部後部の一部に対応する形状の底面を有している、前記拡張部材本体の前面から延びる舌状部と、前記船舶のドックの前記船受容部へと船舶を導くように形成され、構成されるとともに、前記拡張部本体の後部にある傾斜面と、を有しており、
前記ドック本体は、前記船受容部の側壁に設けられた、少なくとも一対の対向するポケットと、前記対向するポケットのそれぞれに固定された、取り付け部材とブラケットと滑り部材とを有する滑り構体とを有し、前記取り付け部材と前記ブラケットは、前記取り付け部材に沿って選択された位置で前記取り付け部材に前記ブラケットを固定可能なようにされており、前記滑り部材は、前記取り付け部材から所望の距離離れるように、前記ブラケットに沿った所望の位置で前記ブラケットに取り付け可能である、乗り入れ式船舶用フローティングドックとそれに連結可能な拡張ユニットの組み合わせ。
【請求項８】
乗り入れ式フローティングドック用拡張部材であって、
前面と側面と背面と上面と底面とを有するとともに前記拡張部材の入り口部を規定するように前記背面で開口している拡張部材本体と、前記本体前面から前方に広がる舌状部と、を有しており、
前記舌状部は、前記舌状部がその基部でよりも自由端で狭くなるように、また、前記舌状部がその中央部でよりも両側で狭くなるように、前記舌状部の前記基部から前記舌状部の前記自由端に向かって上方に傾斜し、前記舌状部の中央部から前記舌状部の両側端に向かって上方に傾斜している底面を有しており、前記舌状部が、船舶用ドック部材に、入口部において受け容れられるように形成されている、乗り入れ式フローティングドック用拡張部材。
【請求項９】
前記舌状部が前記本体船受容部と位置が揃えられる溝部を有する、請求項８に記載の拡張部材。
【請求項１０】
前記傾斜面の基部で前記拡張部材本体背面に取り付けられている船尾滑り構体を有する、請求項８に記載の拡張部材。
【請求項１１】
乗り入れ式フローティングドック用拡張部材であって、
前面と側面と背面と上面と底面とを有し、前記拡張部材の入り口部を規定するように前
記背面で開口している拡張部材本体と、前記入り口部から前方に広がる船受容部と、前記
拡張部材本体の背面から前方へ広がっており、前記船受容部の後端にある傾斜面と、前記
本体前面から前方に広がる舌状部とを有しており、
前記舌状部は、前記舌状部がその基部でよりも自由端で狭くなるように、前記舌状部の
前記基部から前記舌状部の前記自由端に向かって上方に傾斜している底面を有しており、
前記船受容部の側壁に設けられた、少なくとも一対の対向するポケットと、前記対向するポケットのそれぞれに固定された、取り付け部材とブラケットと滑り部材とを有する滑り構体とを有し、前記取り付け部材と前記ブラケットは、前記取り付け部材に沿って選択された位置で前記取り付け部材に前記ブラケットを固定可能なようにされており、前記滑り部材は、前記取り付け部材から所望の距離離れるように、前記ブラケットに沿った所望の位置で前記ブラケットに取り付け可能である、乗り入れ式フローティングドック用拡張部材。
【請求項１２】
前記拡張部材が、前記拡張部材上面に船受容部を有しており、前記拡張部材の船受容部が、傾斜面を有している、請求項５に記載の組み合わせ。
【請求項１３】
前記拡張ユニットが、該拡張ユニットの船受容部の底部及び壁の少なくとも一つに沿って位置する滑り構体を有する、請求項１２に記載の組み合わせ。
【請求項１４】
入口部から前方に伸びる船受容部を有し、前記傾斜面が、前記船受容部の後端にある、請求項８に記載の拡張部材。